(57)【要約】【課題】回転運動を往復動に変換する変換部（カム部や係合ピン部）に、過負荷巻取り時や落下時等、不必要な力が加わっても、破損等したり、使用できなくなることのない魚釣用リールを提供する。【解決手段】本発明は、ハンドル８の回転運動を往復動運動に変換する動力変換機構２１を備え、この動力変換機構２１を介してスプール３に釣糸を平行に巻回する魚釣用リールにおいて、動力変換機構２１は、離間対向配置された主動磁極体と従動磁極体とを備えており、主動磁極体と従動磁極体との間に発生する磁力を利用して非接触状態で回転運動を往復動運動に動力変換可能にしたことを特徴とする。【選択図】　　図１
2004081114.tif 000002
【特許請求の範囲】
【請求項１】
ハンドルの回転運動を往復動運動に変換する動力変換機構を備え、この動力変換機構を介してスプールに釣糸を平行に巻回する魚釣用リールにおいて、
前記動力変換機構は、離間対向配置された主動磁極体と従動磁極体とを備えており、前記主動磁極体と従動磁極体との間に発生する磁力を利用して非接触状態で回転運動を往復動運動に動力変換可能にしたことを特徴とする魚釣用リール。
【請求項２】
前記従動磁極体は、往復動作動体を往復案内する案内部を有する駆動回転体であることを特徴とする請求項１に記載の魚釣用リール。
【請求項３】
前記従動磁極体は、往復動する往復動作動体であることを特徴とする請求項１に記載の魚釣用リール。
【発明の詳細な説明】
【０００１】
【発明の属する技術分野】
本発明は、リール本体に回転自在に支持されたハンドルの回転力を、リール本体内に設けられた動力変換機構を介してスプールに釣糸を平行に巻回する平行巻き装置を備えた魚釣用リールに関する。
【０００２】
【従来の技術】
魚釣用リールは、リール本体に装着されたハンドルの巻取り操作によってスプールに釣糸を巻回するよう構成されており、一般的に、例えば、特開昭５６−１３４９４１号、実開昭５８−７５７１号等に見られるように、前記スプールに釣糸を平行に巻回するための平行巻き装置をリール本体内に備えている。
【０００３】
通常、この平行巻き装置は、上記した公報にも見られるように、ハンドルの回転運動を往復動運動に変換する動力変換機構を介して駆動されるように構成されており、一般的には、ハンドルの回転操作によって連動回転する回転軸の外周にエンドレス溝（螺旋溝）を形成し、このエンドレス溝に係合する係合ピンを保持した摺動体を、前記回転軸の回転に伴って往復動させる方式が採用されている。
【０００４】
【発明が解決しようとする課題】
ところで、両軸受型リールの場合、実際のハンドルの巻取り操作時に、握持保持している手の指が誤って滑ると、リール側板間で左右に往復動する摺動体（釣糸案内体）と側板との間で指を挟んでしまうという問題が発生することがあり、また、そのような事態を気にするあまり、思い切った対応ができないという問題がある。
【０００５】
さらに、許容値以上の大物魚や、根掛かり等に対応する際の過負荷巻取り時など、必要以上の力が回転力を往復動に変換する変換部（カム部や係合ピン部）に加わると、カム部や係合ピン部が破損してしまい、平行巻き機構が機能しなくなるという問題が生じる。
【０００６】
さらにまた、スピニングリールの場合、実際の釣場で誤って落下してしまったり、他物に当たったり等してスプールに不必要な押圧力が加わると、上記同様、回転力を往復動に変換する変換部が破損してしまうという問題が生じる。
【０００７】
本発明は、上述した問題に基づいて成されたものであり、回転運動を往復動に変換する変換部（カム部や係合ピン部）に、過負荷巻取り時や落下時等、不必要な力が加わっても、破損等したり、使用できなくなることのない魚釣用リールを提供することを目的とする。
【０００８】
【課題を解決するための手段】
上記した目的を達成するために、本発明に係る魚釣用リールは、ハンドルの回転運動を往復動運動に変換する動力変換機構を備え、この動力変換機構を介してスプールに釣糸を平行に巻回する構成において、前記動力変換機構は、離間対向配置された主動磁極体と従動磁極体とを備えており、前記主動磁極体と従動磁極体との間に発生する磁力を利用して非接触状態で回転運動を往復動運動に動力変換可能にしたことを特徴とする。
【０００９】
上記した構成によれば、主動磁極体と従動磁極体との間に発生する磁力を利用して、非接触状態で回転運動を往復動運動に動力変換するようにしているため、過負荷が加わった場合、磁力伝達限界値を一時的にオーバーして動力伝達機能が遮断される、いわゆるトルクリミッターとしての機能が発揮される。このため、実際の巻取り操作時において、必要以上の過負荷力が回転力を往復動運動に変換する変換部に加わると、動力伝達が遮断されるようになることから、動力変換部分の破損等が防止できると共に、安心して使用することが可能となる。
【００１０】
【発明の実施の形態】
図１〜図４は、本発明の第１の実施形態を示す図であり、図１は、両軸受型リールの内部構成の一部を示す平面図、図２は、図１の主要部を示し駆動回転体と従動回転体を示す図、図３は、図２のＡ−Ａ線に沿った断面図、そして図４は、駆動回転体と従動回転体の構成を示す斜視図である。
【００１１】
両軸受型リールのリール本体１の左右側板２ａ，２ｂ間には、釣糸が巻回されるスプール３が取り付けられたスプール軸４が軸受を介して回転可能に支持されている。このスプール軸４には、同軸上で右側板２ｂ内に支持されたピニオン軸５に回転可能に保持されたピニオンギヤ６が係合可能となっており、ピニオンギヤ６がスプール軸４に係合した際に、スプール３は回転駆動されるようになっている。
【００１２】
前記右側板２ｂ内には、ハンドル軸７が回転可能に支持されており、その端部には、ハンドル８が取り付けられている。前記ハンドル軸７には、環状凹所を有する駆動ギヤ１０が回転可能に設けられており、この駆動ギヤ１０は、前記ピニオンギヤ６と噛合されている。これにより、ハンドル８を巻取り操作することで、前記スプール３は、駆動ギヤ１０及びピニオンギヤ６を介して回転駆動される。
【００１３】
前記駆動ギヤ１０には、魚釣時にスプール３から釣糸が繰り出された際、スプール３にドラグ力を付与するドラグ機構１２が係合している。このドラグ機構１２は、駆動ギヤ１０の環状凹所内に収容されるライニング材及びライニング材に面接する相手材を具備する制動部材１３と、ハンドル軸７の突出端部に取り付けられたドラグ操作部材１５とを備えており、このドラグ操作部材１５を回転操作することで、制動部材１３に対して所定の押圧力が付与され、ハンドル軸７と駆動ギヤ１０との間に所定のドラグ力が発生するようになっている。すなわち、ドラグ操作部材１５の締め付け力を緩めておくと、魚が掛かった場合等、スプール３が釣糸繰り出し方向に回転した際、駆動ギヤ１０は、ハンドル軸７に対して制動部材１３による摩擦力が作用した状態で滑ることから、スプール３は制動力が加わった状態で回転可能となり、この結果、急激な負荷が釣糸に作用しても糸切れが防止される。
【００１４】
また、前記リール本体１内には、スプール３に釣糸を平行に巻回する平行巻き装置２０が設けられており、この平行巻き装置２０は、ハンドル８を回転操作した際の回転力を往復動運動に変換する動力変換機構２１を介して駆動されるようになっている。
【００１５】
この動力変換機構２１は、前記ハンドル軸７に回転可能に配設され、かつボス２２によって前記駆動ギヤ１０のスプール面側に嵌合されて駆動ギヤ１０と一体回転できるように構成された駆動回転体２３と、この駆動回転体２３に所定間隔をおいて配置される従動回転体２４とを備えている。そして、この従動回転体２４には、左右側板間に取り付けられた筒体２５内に配置され、外周面に案内部としての機能を有する螺旋溝（後述する図５に示す変形例の螺旋溝２７ａ参照）が形成されたウォームシャフト２７が取り付けられている。
【００１６】
前記ウォームシャフト２７に形成された螺旋溝は、前記筒体２５に長手方向に沿って形成された長孔（図示せず）を介して露出しており、この露出した螺旋溝には、前記筒体２５に対して軸方向に移動可能で回り止め支持され、釣糸が挿通される釣糸案内孔２８ａを具備する釣糸案内体（往復動作動体）２８の係合ピン（図示せず）が係合されている。
【００１７】
そして、前記ウォームシャフト２７は、前記従動回転体２４が駆動回転体２３を介して駆動されることで回転駆動され、これにより、ウォームシャフト２７の螺旋溝に係合ピンを介して係合される釣糸案内体２８は、筒体２５に沿って左右に往復動運動する。
【００１８】
上記した構成において、駆動回転体２３から従動回転体２４に対する動力伝達は、磁石による磁力を利用することによって非接触で行なわれるようになっている。具体的には、図３に示すように、駆動回転体２３の外周には、主動磁極体となる磁性回転体２３ａが設けられており、この磁性回転体２３ａは、Ｎ極、Ｓ極が交互となるように着磁された磁性体（永久磁石）によって構成されている。一方、従動回転体２４には、前記磁性回転体２３ａと対向する位置に、従動磁極体となる磁性回転体２４ａが設けられている。この磁性回転体２４ａは、前記磁性回転体２３ａと一定の隙間が規定されるように形成されており、Ｎ極、Ｓ極が交互となるように着磁された磁性体（永久磁石）によって構成されている。
【００１９】
図４に示す点線は、それぞれ着磁された磁性回転体２３ａ，２４ａの磁力線の方向を示しており、これにより、ハンドル軸７がハンドル８の巻取り操作によって回転駆動されると、磁性回転体２３ａが駆動回転体２３と共に回転され、その回転駆動力は、磁性回転体２３ａ，２４ａの磁気作用によって、そのまま従動回転体２４に伝達される。そして、従動回転体２４と一体回転するウォームシャフト２７を介して前記釣糸案内体２８は左右側板間で往復動され、釣糸は、釣糸案内体２８の釣糸案内孔２８ａを介してスプール３に平行に巻回される。
【００２０】
上記した構成によれば、磁性回転体２３ａ，２４ａとの間に発生する磁力を利用して非接触状態で回転運動を往復動運動に動力変換するようにしているため、過負荷が加わった場合、磁力伝達限界値を一時的にオーバーして動力伝達機能が遮断される、いわゆるトルクリミッターとしての機能が発揮されるようになる。従って、許容値以上の大物魚や根掛かり等に対応する巻取り操作時において、必要以上の過負荷力が、回転力を往復動運動に変換する変換部（上記した螺旋溝や係合ピン部）に加わっても、動力伝達機能が遮断されるため、変換部が破損等することを確実に防止することができる。また、釣糸案内体２８と側板２ａ，２ｂとの間で誤って指を挟んだとしても、動力伝達機能が遮断されることから、歯車同士の動力伝達で生じるような苦痛等を強いられることがなく、釣人は安心して使用することができる。
【００２１】
なお、上記した構成では、各磁性回転体２３ａ，２４ａの表面にエポキシ、アクリル、ウレタン等の塗料を吹き付け塗装、ハケ塗り、ディッピング、電着塗装等の方法を用いて防食保護層を形成しておくことが好ましい。このような防食保護層を形成しておくことで、海水、水、異物等が浸入、付着し易い環境の厳しい釣場での使用に際しても、その腐食を充分保護することができ、魚釣用リールとして支障なく使用できると共に、磁性回転体の使用後の清掃（不純物の付着除去等）が容易に行なえるようになる。
【００２２】
図５及び図６は、上記した実施形態の変形例を示す図であり、図５は、両軸受型リールの内部構成を示す平面図、図６は、左側板内の構成を示す図である。
この変形例では、ハンドル８の回転運動を往復動運動に変換する動力変換機構２１の構成部材を左側板２ａ内に収容している。
【００２３】
すなわち、動力変換機構２１は、スプール軸４の左側板側端部に装着された駆動回転体３３と、ウォームシャフト２７の左側板側端部に取り付けられた従動回転体３４とを備えている。そして、上記した構成と同様、各回転体の外周部分には、磁性回転体３３ａ，３４ａが設けられており、非接触で動力伝達されるように構成されている。なお、この変形例では、駆動回転体３３と従動回転体３４との間には、中間回転体３５が配設されており、夫々、上記した磁性回転体３３ａ，３４ａと所定の隙間をおいて対向するように、磁性回転体３５ａ，３５ｂが設けられている。
【００２４】
上記した構成において、ハンドル８の巻取り操作によってスプール軸４が回転駆動されると、磁性回転体３３ａ，３５ａ，３５ｂ，３４ａの間で生じる磁気作用によって動力伝達がなされ、釣糸案内体２８は左右側板間で往復動されて、釣糸は、釣糸案内体２８の釣糸案内孔２８ａを介してスプール３に平行に巻回される。
このような構成においても、上記した実施形態と同様な作用効果を得ることができる。
【００２５】
図７〜図９は、本発明の第２の実施形態を示す図であり、図７は、スピニングリールの内部構成を示す側面図、図８は、図７のＢ−Ｂ線に沿った主要部を示す断面図、図８は、図７のＣ−Ｃ線に沿った主要部を示す断面図である。
【００２６】
スピニングリールのリール本体５１には、釣竿に装着されるリール脚５１ａが一体形成されており、その前方には回転可能に支持されたロータ（回転体）５２と、ロータ５２の回転運動と同期して前後動可能に支持されたスプール５３が配設されている。
【００２７】
リール本体５１内には、軸受を介してハンドル軸５５が回転可能に支持されており、その突出端部には、ハンドル５６が取り付けられている。また、ハンドル軸５５には、駆動ギヤ（フェースギヤ）５７が装着されており、この駆動ギヤ５７は、以下に詳述するように、ハンドル５６の回転操作をロータ２の回転運動に伝達すると共に、前記スプール５３に釣糸を平行に巻回する平行巻き装置６５の動力変換機構６６と係合して、ハンドル５６を回転操作した際の回転力をスプール５３の往復動運動に変換するようにしている。
【００２８】
前記駆動ギヤ５７には、ハンドル軸５５と直交する方向に延出し、内部に軸方向に貫通する空洞部が形成されたピニオンギヤ５９が噛合している。このピニオンギヤ５９は、一対の軸受を介してリール本体内に回転可能に支持されており、その空洞部には、ハンドル軸５５と直交する方向に延出し、先端側に前記スプール５３を装着したスプール軸６０が軸方向に移動可能に挿通されている。また、ピニオンギヤ５９には、その先端部に前記ロータ５２が取り付けられると共に、その中間部分に一方向クラッチ６１が係合しており、リール本体の外部に取り付けられているレバー６２を回動操作することで、一方向クラッチを作動させ、ハンドル５６の逆回転を防止するようになっている。
【００２９】
前記平行巻き装置６５における動力変換機構６６は、リール本体内に回転可能に支持され、スプール軸６０と平行に延出するトラバースカム軸６７と、スプール軸６０の基端部にビス等を介して抜け止め固定された摺動子６８と、トラバースカム軸６７の端部に取り付けられたオシレート回転体６９とを備えている。前記摺動子６８には、トラバースカム軸６７の外周面に形成された案内部としての機能を有する螺旋溝６７ａと係合する係合ピン６８ａが保持されており、トラバースカム軸６７が回転駆動されることによって、係合ピン６８ａが螺旋溝６７ａに案内され、スプール軸６０が前後に往復動運動されるようになっている。
【００３０】
そして、上記ピニオンギヤ５９の基端部外周には、Ｎ極、Ｓ極が交互となるように着磁された主動磁極体となる磁性回転体５９ａが設けられており、前記オシレート回転体６９の外周には、前記ピニオンギヤ５９の磁性回転体５９ａと対向する位置において、Ｎ極、Ｓ極が交互となるように着磁された従動磁極体となる磁性回転体６９ａが設けられている。これらの磁性回転体５９ａ，６９ａは、一定の隙間が規定されるように構成されており、ピニオンギヤ５９からオシレート回転体６９に対する動力伝達伝達は、上記した磁石による磁力を利用することによって非接触で行なわれるようになっている。
【００３１】
上記した構成によれば、ハンドル５６を巻取り操作することで、駆動ギヤ５７及びピニオンギヤ５９を介して、ロータ５２が回転駆動されると共に、ピニオンギヤ５９の磁性回転体５９ａとオシレート回転体６９の磁性回転体６９ａとの間で生じる磁気作用によって、非接触状態でトラバースカム軸６７が回転駆動される。これにより、スプール５３は、螺旋溝６７ａに係合する係合ピン６８ａを保持する摺動子６８を介して前後に往復動駆動され、釣糸は、ロータ５２の釣糸案内部５２ａを介してスプール５３に均等に巻回される。
【００３２】
以上のように構成されたスピニングリールでは、実際の釣場で誤って落下してしまったり、他物に当たったりして、スプール５３に衝撃が加わってスプール軸６０を介して回転力を往復動運動に変換する変換部（螺旋溝６７ａ部分や係合ピン６８ａ部分）に衝撃が加わっても、磁力による動力伝達機能が一時的に遮断されて衝撃力が吸収緩和されるため、上記した変換部の破損等を確実に回避することができる。
【００３３】
図１０及び図１１は、本発明の第３の実施形態を示す図であり、図１０は、スピニングリールの内部構成を示す側面図、図１１は、図１０の主要部の拡大図である。なお、以下の実施形態では、上記した第２実施形態と同一の構成部材については、同一の参照符号を付してその詳細な説明は省略する。
【００３４】
本実施形態の平行巻き装置７０における動力変換機構７１は、ハンドル軸５５に装着される駆動回転体７２と、リール本体５１内に回転可能に支持された従動回転体７３とを備えており、夫々の外周には、所定の隙間をおいて、上記同様、主動磁極体となる磁性回転体７２ａと、従動磁極体となる磁性回転体７３ａが設けられている。そして、スプール５３が装着されたスプール軸６０の基端部には、上下方向に延出する長孔７５ａを有する摺動子７５がビス等を介して取り付けられており、前記長孔７５ａには、従動回転体７３に突設された係合ピン７３ｂが係合されている。
【００３５】
このような構成によれば、ハンドル５６を巻取り操作することで、駆動ギヤ５７及びピニオンギヤ５９を介して、ロータ５２が回転駆動されると共に、駆動回転体７２の磁性回転体７２ａと従動回転体７３の磁性回転体７３ａとの間で生じる磁気作用によって、非接触状態で従動回転体７３が回転駆動される。これにより、スプール５３は、長孔７５ａに係合する係合ピン７３ｂを介して前後に往復動駆動され、釣糸は、ロータ５２の釣糸案内部を介してスプール５３に均等に巻回される。
【００３６】
このような構成のスピニングリールにおいても、スプール５３に衝撃が加わってスプール軸６０を介して回転力を往復動運動に変換する変換部（長孔７５ａ部分や係合ピン７３ｂ部分）に衝撃が加わっても、磁力による動力伝達機能が一時的に遮断されて衝撃力が吸収緩和されるため、上記した変換部の破損等を確実に回避することができる。
【００３７】
図１２〜図１４は、本発明の第４の実施形態を示す図であり、図１２は、スピニングリールの主要部の内部構成を示す側面図、図１３は、図１２のＤ−Ｄ線に沿った断面図、図１４は、図１３の主要部の拡大図である。
【００３８】
本実施形態の平行巻き装置８０における動力変換機構８１は、ハンドル軸５５に装着される駆動回転体８２と、リール本体５１内に回転可能に支持された従動回転体８３とを備えており、夫々の外周には、互いに噛合する歯部８２ａ，８３ａが形成されている。そして、スプール５３が装着されたスプール軸６０の基端部には、上記した実施形態における長孔７５ａの代わりに、上下方向に延出する従動磁極体となる磁性体８５ａが設けられた摺動子８５が取り付けられている。また、前記従動回転体８３には、前記上下方向に延出する磁性体８５ａに対し、所定間隔をおいて対向するように、主動磁極体となる円形の磁性回転体８３ｂが設けられている。
【００３９】
このような構成によれば、ハンドル５６を巻取り操作することで、駆動ギヤ５７及びピニオンギヤ５９を介して、ロータ５２が回転駆動されると共に、駆動回転体８２を介して従動回転体８３が回転駆動される。この回転動作に伴って、磁性体８３ｂが回転駆動され、それと対向して配設された摺動子８５の磁性体８５ａとの間に生じる磁気作用によって、摺動子８５（スプール５３）は前後に往復動駆動され、釣糸は、ロータ５２の釣糸案内部を介してスプール５３に均等に巻回される。
【００４０】
このような構成のスピニングリールでは、スプール５３に衝撃が加わっても、回転力を往復動運動に変換する変換部（磁性回転体８３ｂ、及び磁性体８５ａ）は、非接触状態であることから、破損等が生じるようなことはなく、また、駆動回転体８２と従動回転体８３の噛み合い部分に衝撃等が加わらないことから、歯部の破損を防止することができる。
【００４１】
なお、上記した駆動回転体８２と従動回転体８３とは、図１１に示す構成のように、歯部の代わりに磁性回転体によって、非接触で動力が伝達されるように構成しても良い。
【００４２】
図１５〜図１７は、本発明の第５の実施形態を示す図であり、図１５は、スピニングリールの内部構成を示す側面図、図１６は、図１５の主要部の拡大図、図１７は、動力変換機構の動作を説明するための図である。
【００４３】
本実施形態の平行巻き装置９０における動力変換機構９１は、スプール軸６０の基端部にビス等を介して装着されたロの字型の摺動子９２を備えている。この摺動子９２は、その上下位置において、リール本体５１内に設けられ軸方向に延出するレール９３ａ，９３ｂによって軸方向に安定して移動案内されるように構成されている。また、ハンドル軸５５に装着される駆動回転体８２と噛合する従動回転体８３には、ロの字型のフレーム内で回転可能となるように、略半円形の回転体９５が装着されている。
【００４４】
そして、回転体９５の半円部分の外周部、及び摺動子９２の上下のフレーム部分には、夫々、所定の隙間をおいて、主動磁極体となる磁性回転体９５ａと、従動磁極体となる磁性体９２ａ，９２ｂが設けられている。この場合、磁性回転体９５ａと磁性体９２ｂは、図１６に示したスプールの最後端位置から、回転体９５がハンドルの巻取り操作によって時計回り方向に回転駆動された際、摺動子９２を前方に駆動するように着磁されており、かつ磁性回転体９５ａと磁性体９２ａは、スプールの最前端位置から、回転体９５がハンドルの巻取り操作によって時計回り方向に回転駆動された際、摺動子９２を後方に駆動するように着磁されている。この結果、回転体９５が３６０°回転駆動されると、摺動子９２は、回転体９５と非接触の状態で、上記した磁気作用により、前後１回の往復動運動が成される。
【００４５】
このような構成のスピニングリールにおいても、スプール５３に衝撃が加わった際、回転力を往復動運動に変換する変換部（磁性体９２ａ，９５ａ，９５ｂ）は、非接触状態であることから、破損等が生じるようなことはなく、また、駆動回転体８２と従動回転体８３の噛み合い部分に衝撃等が加わらないことから、歯部の破損を防止することができる。
【００４６】
なお、上述した各実施形態のスピニングリールにおいても、各磁性体の表面にエポキシ、アクリル、ウレタン等の塗料を吹き付け塗装、ハケ塗り、ディッピング、電着塗装等の方法を用いて防食保護層を形成しておくことが好ましい。
【００４７】
以上、本発明の実施形態について説明したが、本発明は、ハンドルの回転運動を往復動運動に変換する動力変換機構において、上述したような磁極体による非接触で動力の伝達が成されるように構成されていれば、磁性体の形状、配置位置等については、適宜変形することが可能である。
【００４８】
【発明の効果】
以上、本発明によれば、回転運動を往復動に変換する変換部（カム部や係合ピン部）に、過負荷巻取り時や落下時等、不必要な力が加わっても、破損等したり使用できなくなることのない魚釣用リールが得られる。
【図面の簡単な説明】
【図１】本発明の第１の実施形態を示す図であり、両軸受型リールの内部構成の一部を示す平面図。
【図２】図１の主要部を示し駆動回転体と従動回転体を示す図。
【図３】図２のＡ−Ａ線に沿った断面図。
【図４】駆動回転体と従動回転体の構成を示す斜視図。
【図５】第１の実施形態の変形例を示す図であり、両軸受型リールの内部構成を示す平面図。
【図６】左側板内の構成を示す図。
【図７】本発明の第２の実施形態を示す図であり、スピニングリールの内部構成を示す側面図。
【図８】図７のＢ−Ｂ線に沿った主要部を示す断面図。
【図９】図７のＣ−Ｃ線に沿った主要部を示す断面図。
【図１０】本発明の第３の実施形態を示す図であり、スピニングリールの内部構成を示す側面図。
【図１１】図１０の主要部の拡大図。
【図１２】本発明の第４の実施形態を示す図であり、スピニングリールの主要部の内部構成を示す側面図。
【図１３】図１２のＤ−Ｄ線に沿った断面図。
【図１４】図１３の主要部の拡大図。
【図１５】本発明の第５の実施形態を示す図であり、スピニングリールの内部構成を示す側面図。
【図１６】図１５の主要部の拡大図。
【図１７】動力変換機構の動作を説明するための図。
【符号の説明】
３，５３　スプール
８，５６　ハンドル
２０，６５，７０，８０，９０　平行巻き装置
２１，６６，７１，８１，９１　動力変換機構
２３ａ，２４ａ，５９ａ，６９ａ７２ａ，７３ａ，８３ｂ，９５ａ　磁性回転体
８５ａ，９２ａ，９２ｂ　磁性体
【図１】
2004081114.tif 000003
【図２】
2004081114.tif 000004
【図３】
2004081114.tif 000005
【図４】
2004081114.tif 000006
【図５】
2004081114.tif 000007
【図６】
2004081114.tif 000008
【図７】
2004081114.tif 000009
【図８】
2004081114.tif 000010
【図９】
2004081114.tif 000011
【図１０】
2004081114.tif 000012
【図１１】
2004081114.tif 000013
【図１２】
2004081114.tif 000014
【図１３】
2004081114.tif 000015
【図１４】
2004081114.tif 000016
【図１５】
2004081114.tif 000017
【図１６】
2004081114.tif 000018
【図１７】
2004081114.tif 000019